(57)【要約】      （修正有）【課題】衣料品への生地の傷みを軽減し、併せて左右の務歯を分離した状態でもより円形状の柔らかい印象を与えることができる、スライドファスナー用務歯及びこれを備えたファスナー基材を提供する。【解決手段】務歯基体１は、ファスナー生地への取付側を基端として，該基端にファスナー生地取付部１０を有する。務歯基体１のうちファスナー生地取付部１０から連続する基端側外周輪郭を正円の円弧輪郭１１としている。また務歯基体１のうち正面視における先端側外周輪郭１２が直線状となる平面部を有している。先端側外周輪郭１２と務歯基体１側から連続する円弧輪郭１１の上端は弧状部１３によって接続される。弧状部１３は、概ね楕円輪郭の四半円に相当する。円弧輪郭１１の中心点から先端側外周輪郭１２までの最短距離ｋ１は、当該中心点から保持部１０ｂまでの最短距離ｋ２以下とすることができる。【選択図】図１
0003217055.tif 000002
【実用新案登録請求の範囲】
【請求項１】
係着用突起を有する務歯基体のファスナー生地取付部から連続する正面視における基端側外周を円周形状輪郭とし、且つ、前記務歯基体の正面視における先端側外周の少なくとも一部に弧状輪郭となる弧状部を備えたことを特徴とするスライドファスナー用務歯。
【請求項２】
前記先端側外周全体が弧状に形成されたことを特徴とする請求項１記載のスライドファスナー用務歯。
【請求項３】
前記先端側外周のうち中央を直線状輪郭部とし、少なくともその一端から連続して前記基端側外周と接続される前記弧状部を備えたことを特徴とする請求項１記載のスライドファスナー用務歯。
【請求項４】
前記弧状部が正円の円弧を有し、その半径寸法が、務歯基体の高さ寸法の１０％以上５０％未満であることを特徴とする請求項３記載のスライドファスナー用務歯。
【請求項５】
正面視下端側外周を略半円形の円弧形状としたことを特徴とする請求項１、２、３又は４に記載のスライドファスナー用務歯。
【請求項６】
請求項１、２、３、４又は５記載のスライドファスナー用務歯をファスナー生地の一端に列設してなることを特徴とするファスナー基材。
【考案の詳細な説明】
【技術分野】
【０００１】
本考案は、スライドファスナーにおけるスライドファスナー生地に列設される務歯の構造、及び、スライドファスナー生地に当該務歯を備えてなるスライドファスナー基材の構造に関するものである。
【背景技術】
【０００２】
衣料品や袋物等の開閉手段として、スライドファスナーは一般に広く普及している。そしてスライドファスナーを構成する務歯は、用途等に応じて種々の形状、大きさのものが製造されている。
【考案の概要】
【考案が解決しようとする課題】
【０００３】
スライドファスナーには、例えば、図１１に示すような、スライドファスナーを閉じた状態において外観上、務歯が円柱状に係着されるものがある。当該スライドファスナーは、務歯相互の対向部側の輪郭が正面視直線状に形成され、その両端に角部を有する形状であることから、洗濯時に他の衣料品の生地を傷めやすく、また使用時においても手指や他物を傷つけやすくなることが多い。
【０００４】
また、上記務歯は左右から係合部を係着させると、上記の通り、概ね円周状の形状に形成されるが、左右の務歯を分離した状態においては、角部が目立ち、円形状の柔らかい印象を与えることができない。
【０００５】
本考案は以上の事情に鑑みてなされたものであり、衣料品の生地への傷みを軽減することが可能であり、併せて、左右の務歯を分離した状態でもより円形状の柔らかい印象を与えることが可能なスライドファスナーの提供を、考案が解決しようとする課題とする。
【課題を解決するための手段】
【０００６】
本考案は、係着用突起を有する務歯基体のファスナー生地取付部から連続する正面視における基端側外周を円周形状輪郭とし、且つ、前記務歯基体の正面視における先端側外周の少なくとも一部に弧状部を備えたことを特徴とするスライドファスナー用務歯を基本として、上記課題を解決するための手段とする。尚、本考案において、「弧状」とは、特に限定した場合を除き、正円の円周の一部である円弧のみならず、楕円の円周の一部である弧等を含む曲線をいう。また、本考案の説明においては、「正面視」とは、複数のスライドファスナー用務歯が連続する方向を、正面から背面へ向かう方向とし、その正面から見ることをいう。
【０００７】
また本考案は、上記考案において前記先端側外周全体が弧状に形成されたことを特徴とするスライドファスナー用務歯を、上記課題を解決するための手段とする。
【０００８】
また本考案は、上記基本とする考案において、前記先端側外周のうち中央を直線状輪郭部とし、少なくともその一端から連続して前記基端側外周と接続される前記弧状部を備えたことを特徴とするスライドファスナー用務歯を、上記課題を解決するための手段とする。
【０００９】
また本考案は、前記弧状部が正円の円弧を有し、その半径寸法が、務歯基体の高さ寸法の１０％以上５０％未満であることを特徴とするスライドファスナー用務歯を、上記課題を解決するための手段とする。
【００１０】
また本考案は、上記いずれかのスライドファスナー用務歯を前提として、正面視下端側外周を略半円形の円弧形状としたスライドファスナー用務歯を、上記課題を解決するための手段とする。
【００１１】
また本考案は、上記いずれかのスライドファスナー用務歯をファスナー生地の一端に列設してなることを特徴とするファスナー基材を、上記課題を解決するための手段とする。
【考案の効果】
【００１２】
本考案によれば、係着用突起を有する務歯基体におけるファスナー生地取付部から連続する基端側外周を円周形状輪郭とし、且つ、前記務歯基体における先端側外周の少なくとも一部に弧状部を備え、若しくは当該先端側外周の全部を弧状部としたことから、弧状輪郭によって、左右一対のスライドファスナーを分離させた状態で洗濯を行った場合に、従来よりも他の衣料品の生地へのダメージを低減することが期待できる。また手指や他物を傷つける可能性を低減することが期待できる。
【００１３】
また、左右一対のスライドファスナーを分離させた状態においても、従来のように角部が目立つことがなく、弧状輪郭によって、円形状の柔らかい印象を与えることができる。
【００１４】
また、上記考案の構成について、前記先端側外周のうち中央を直線状輪郭部とし、少なくともその一端から連続して前記基端側外周と接続される前記弧状部を備え、前記弧状部が正円の円弧を有し、その半径寸法が、務歯基体の高さ寸法の概ね１０％以上５０％未満としたことによっては、上下の弧状部の他物への引掛りを低減する機能を保持した上で、当該弧状部相互の干渉を生じさせずに、上記本考案の作用効果を発揮させることが可能である。
【００１５】
また、基端側外周の円弧輪郭１１から先端側までの間の下端側輪郭１６を略半円形の円弧形状とすることによって、更に、弧状輪郭によって、左右一対のスライドファスナーを分離させた状態で洗濯を行った場合に、従来よりも他の衣料品の生地へのダメージを低減することがよりいっそう期待できる。また手指や他物を傷つける可能性を低減することがよりいっそう期待できる。
【図面の簡単な説明】
【００１６】
【図１】本考案の実施例１に係るスライドファスナー用務歯を示す（ａ）正面図、（ｂ）平面図である。
【図２】本考案の実施例１に係るスライドファスナー用務歯を示す（ａ）右側面図、（ｂ）図１のＡ−Ａ断面図である。
【図３】本考案の実施例１に係るスライドファスナー用務歯を有するスライドファスナー基材を示す（ａ）斜視図、（ｂ）正面図である。
【図４】本考案の実施例２に係るスライドファスナー用務歯を示す（ａ）正面図、（ｂ）平面図である。
【図５】本考案の実施例２に係るスライドファスナー用務歯を有するスライドファスナー基材を示す（ａ）斜視図、（ｂ）正面図である。
【図６】本考案の他の実施例（実施例３）に係るスライドファスナー用務歯を示す（ａ）正面図、（ｂ）平面図である。
【図７】本考案の他の実施例（実施例３）に係るスライドファスナー用務歯を示す（ａ）右側面図、（ｂ）図１のＡ−Ａ断面図である。
【図８】本考案の他の実施例（実施例３）に係るスライドファスナー用務歯を有するスライドファスナー基材を示す斜視図である。
【図９】本考案の更に他の実施例（実施例４）に係るスライドファスナー用務歯を示す（ａ）正面図、（ｂ）平面図である。
【図１０】本考案の実施例２に係るスライドファスナー用務歯を有するスライドファスナー基材を示す斜視図である。
【図１１】従来のスライドファスナーを示す斜視図である。
【考案を実施するための形態】
【００１７】
以下に本考案の実施例に係るスライドファスナー用務歯及びこれを備えたスライドファスナー基材３について説明する。尚、本考案は以下の実施例に限定されるものではなく、本考案の開示する技術的思想の範囲内において、種々の変形、設計変更等をした考案に及ぶ。
【実施例１】
【００１８】
本考案の実施例に係るスライドファスナー用務歯は、図１（ａ）に示すように、例えば真鍮等の金属材料からなる務歯基体１によって構成される正面視上下非対称形状を有するものである。
図１に示すように当該務歯基体１は、ファスナー生地２への取付側を基端として，該基端にファスナー生地取付部１０を有する。
【００１９】
本実施例において使用されるファスナー生地２は、図３に示すように、その長手方向縁部に沿って円柱状に形成された補強部２０を有するものとしてあり、前記ファスナー生地取付部１０は当該形状に適合すべく、ファスナー生地２をガイドする狭幅のガイド部１０ａ（図１参照。）と該ガイド部１０ａに連続して前記ファスナー生地２の補強部２０を保持するための保持部１０ｂとを有する。
【００２０】
そして、務歯基体１のうち前記ファスナー生地取付部１０から連続する基端側外周輪郭を正円の円弧輪郭１１としている。また前記務歯基体１のうち正面視における先端側外周輪郭１２が直線状となる平面部を有している。
【００２１】
上記先端側外周輪郭１２と務歯基体１側から連続する円弧輪郭１１の上端は弧状部１３によって接続される。本実施例における弧状部１３は、概ね楕円輪郭の四半円に相当する。円弧輪郭１１の中心点から前記先端側外周輪郭１２までの最短距離ｋ１は、当該中心点から保持部１０ｂまでの最短距離ｋ２以下とすることができる。
【００２２】
また基端側外周の円弧輪郭１１から先端側までの間の下端側輪郭１６を正面視略半円形の円弧形状としている。
【００２３】
当該務歯基体１の表面１ａには、係着用突起１４を有する。前記務歯基体１の裏面１ｂのうち前記係着用突起１４に対応する位置には、係着用凹部１５が形成される。当該係着用凹部１５は前記係着用突起１４をプレス加工によって形成する際に、同時に形成されるものである。
【００２４】
以上の構成を有するスライドファスナー用務歯をファスナー生地２の前記補強部２０に対して等間隔に列設することで、スライドファスナー基材３が構成される。二本の当該スライドファスナー基材３、３を左右から対向させ、図示されないスライダーによって双方の務歯基体１を交互に噛合わせて、スライドファスナー基材３相互を係脱させることができる。スライドファスナー基材３相互が係着された状態においては、務歯基体３、３における基端側外周の正円の円弧輪郭が左右相互に表れることで全体として概ね半円状の輪郭が形成される。
【００２５】
一方で、二本のスライドファスナー基材３の係着を解除すると、先端側に連続した上下の弧状部１３が表れることとなる。
【００２６】
本実施例においては当該弧状部１３の構成によって、例えば、当該スライドファスナー基材３が上着等の衣類に縫着されている場合には、係着が解除されたスライドファスナー用務歯によって、洗濯時等に他の生地へのダメージが低減されることが期待でき、また、当該衣類の着用時においては手指等への不用意な引掛かり等が低減され、安全性が高められることが期待できる。
【００２７】
また、左右のスライドファスナー用務歯の係着を解除した状態においても、従来問題であった角部が目立つことによる円形状の柔らかい美感の喪失を低減させること可能である。
【００２８】
更に、基端側外周の円弧輪郭１１から先端側までの間の下端側輪郭１６を半円弧形状としていることで、よりいっそう、係着が解除されたスライドファスナー用務歯によって、洗濯時等に他の生地へのダメージが低減されることが期待でき、また、当該衣類の着用時においては手指等への不用意な引掛かり等が低減され、安全性が高められることが期待できる。
【実施例２】
【００２９】
本考案の実施例２に係るスライドファスナー用務歯は、図４に示すように、基本的には実施例１に係るスライドファスナー用務歯と基端側外周１１の円形輪郭が共通する構成であり、正面視における先端側外周１２の形状が異なるものである。
【００３０】
本実施例２に係るスライドファスナー用務歯は、先端側外周１２の形状を全体として円弧形状としたものである。
当該円弧は楕円の一部としており、楕円の中心は、基端側外周の円周の中心と一致させている。当該楕円の軌道短半径寸法ｋ３は、楕円の中心から保持部までの最短距離ｋ４以下の寸法とすることができる。
【００３１】
当該形状によって、上記実施例１と同様の作用効果が期待できるうえに、スライドファスナー用務歯の係着を解除した状態においても、より丸みを帯びた外観を保持することができる利点を有する。
【００３２】
尚、弧状部が正円の円弧であり、その半径寸法が務歯全体の高さ寸法の概ね１０％に満たない場合には、他物への引掛りを低減する機能が低下し、また、スライドファスナーを分離させた状態においても円形状の柔らかい印象が維持できなくなる。また前記寸法比率が５０％を超えると、直線輪郭の平面部が形成できず、上下の弧状部相互が干渉して、相互の接続部分が先尖状になることから、本考案の構成、作用効果が実現できなくなるため、適切ではない。
【００３３】
本考案のスライドファスナー用務歯は、上記実施例１、２に開示した物に限定されるものではなく、例えば、図６から図８に示した他の実施例に係るスライドファスナー用務歯のように、図１（ａ）に開示される実施例１のスライドファスナー用務歯の構成の上半分の形状を下方に対称形状として構成したものや、図９、図１０に示した更なる他の実施例に係るスライドファスナー用務歯のように、実施例２（ａ）に開示したスライドファスナー用務歯の構成の上刃分の形状を下方に対称形状として構成することもできる。
【符号の説明】
【００３４】
１        務歯基体
１ａ      表面
１ｂ      裏面
１０      ファスナー生地取付部
１０ａ    ガイド部
１０ｂ    保持部
１１      円弧輪郭
１２      先端側外周
１３      弧状部
１４      係着用突起
１５      係着用凹部
１６      下端側外周
２        ファスナー生地
２０      補強部
３        スライドファスナー基材
【図１】
0003217055.tif 000003
【図２】
0003217055.tif 000004
【図３】
0003217055.tif 000005
【図４】
0003217055.tif 000006
【図５】
0003217055.tif 000007
【図６】
0003217055.tif 000008
【図７】
0003217055.tif 000009
【図８】
0003217055.tif 000010
【図９】
0003217055.tif 000011
【図１０】
0003217055.tif 000012
【図１１】
0003217055.tif 000013